(57)【要約】【課題】移動電話網を利用したユーザ登録の通信コストを低減する「車載システム」を提供する。【解決手段】車載システム１００の制御部１０８は、ユーザ登録が済んでいない場合には、インターネット４を利用して行うジョブが発生してインターネットアクセスが発生するのを待ち、インターネット４を利用して行うジョブが終了したならば、インターネット４を介して、ユーザ管理サーバ６にアクセスし、ユーザ登録が既に行われているかどうかを確認する。そして、ユーザ登録がまだ行われていない場合には、ユーザの氏名、郵便番号、住所、電話番号、メールアドレスなどの入力を受け付け、ＨＤＤ１０９に記録されている車載システム１００の製品シリアル番号と、ユーザ情報入力画面で入力を受け付けたユーザの氏名、郵便番号、住所、電話番号、メールアドレスとを登録情報として含めたユーザ登録要求を、ユーザ管理サーバ６に送信し、ユーザ登録を行う。【選択図】図１
2009253879.tif 000002
【特許請求の範囲】
【請求項１】
自動車に搭載される車載システムであって、
移動電話網を介してインターネットとの接続を確立し、当該インターネットを利用した所定の処理を実行するインターネット利用処理実行手段と、
前記インターネット利用処理実行手段によって、前記インターネットとの接続が確立されたときに、当該確立されたインターネットとの接続を用いて、前記インターネット上に配置された、ユーザ登録を受け付けるサーバにアクセスして、当該サーバに対する当該車載システムのユーザのユーザ登録を行う登録手段とを有することを特徴とする車載システム。
【請求項２】
請求項１記載の車載システムであって、
前記登録手段は、前記インターネット利用処理実行手段によって、前記インターネットとの接続が確立されたときに、当該確立されたインターネットとの接続を用いて、前記インターネット上に配置された、ユーザ登録を受け付けるサーバにアクセスして、当該サーバに当該車載システムのユーザ登録が済んでいるか否かを問い合わせて確認し、ユーザ登録が済んでいない場合にのみ、当該サーバに対して前記ユーザ登録を行うことを特徴とする車載システム。
【請求項３】
自動車に搭載される車載システムにおいて、当該車載システムのユーザのユーザ登録を行うユーザ登録方法であって、
前記車載システムにおいて、移動電話網を介してインターネットとの接続を確立し、当該インターネットを利用した所定の処理を実行するステップと、
前記車載システムにおいて、前記インターネットとの接続の確立を検出し、確立を検出したインターネットとの接続を用いて、前記インターネット上に配置された、ユーザ登録を受け付けるサーバにアクセスして、当該サーバに対する当該車載システムのユーザのユーザ登録を行うステップとを有することを特徴とするユーザ登録方法。
【発明の詳細な説明】
【技術分野】
【０００１】
本発明は、車載システムのユーザ登録を支援する技術に関するものである。
【背景技術】
【０００２】
製品のユーザ登録を支援する技術としては、製品の電源投入時に、当該製品において自動的にユーザ登録を管理するサーバと通信を行って、製品のシリアル番号や位置を、ユーザ登録情報として管理サーバに登録する技術が知られている（たとえば、特許文献１）。
【特許文献１】特開2006-195509号公報
【発明の開示】
【発明が解決しようとする課題】
【０００３】
さて、自動車に搭載される車載システムでは、インターネットなどの外部のネットワークとの通信は移動電話網を利用して行われることが一般的であるが、このような移動電話網を介した外部のネットワークとの接続サービスの利用料金は比較的高額である。
このため、前記特許文献１のような通信を介したユーザ登録を行う場合には、ユーザ登録のためのユーザの通信コストの負担も比較的大きなものとなる。
そこで、本発明は、移動電話網を利用してユーザ登録を行う場合の、ユーザの通信コストを低減することを課題とする。
【課題を解決するための手段】
【０００４】
前記課題達成のために、本発明は、自動車に搭載される車載システムに、移動電話網を介してインターネットとの接続を確立し、当該インターネットを利用した所定の処理を実行するインターネット利用処理実行手段と、前記インターネット利用処理実行手段によって、前記インターネットとの接続が確立されたときに、当該確立されたインターネットとの接続を用いて、前記インターネット上に配置された、ユーザ登録を受け付けるサーバにアクセスして、当該サーバに対する当該車載システムのユーザのユーザ登録を行う登録手段とを設けたものである。なお、このような車載システムは、前記登録手段において、前記インターネット利用処理実行手段によって、前記インターネットとの接続が確立されたときに、当該確立されたインターネットとの接続を用いて、前記インターネット上に配置された、ユーザ登録を受け付けるサーバにアクセスして、当該サーバに当該車載システムのユーザ登録が済んでいるか否かを問い合わせて確認し、ユーザ登録が済んでいない場合にのみ、当該サーバに対して前記ユーザ登録を行うように構成してもよい。
【０００５】
このような車載システムによれば、車載システムにおいて、ユーザ登録のためではない任意のインターネット接続が発生したときに、当該機会を捉えて、ユーザ管理サーバと通信を行ってユーザ登録を行うようにすることができる。そして、このようにすることにより、インターネット接続に用いる移動電話網が、インターネット接続サービスの提供に際してインターネット接続の度に基本料金を従量制の料金の他に利用者に課すものである場合に、ユーザ登録のためだけの基本料金の発生を抑止することができ、結果、ユーザのユーザ登録のための通信コストを低減することができるようになる。
【発明の効果】
【０００６】
以上のように本発明によれば、移動電話網を利用してユーザ登録を行う場合の、ユーザのコストを低減することができるようになる。
【発明を実施するための最良の形態】
【０００７】
以下、本発明の実施形態について説明する。
図１に、本実施形態に係るユーザ登録システムの構成を示す。
図示するように、ユーザ登録システムは、各ユーザの自動車に搭載された車載システム１００、移動電話網３、インターネット４、インターネット４に接続されたＣＤ-ＤＢサーバ５、インターネット４に接続されたユーザ管理サーバ６、各ユーザが自宅などに所持するインターネット４に接続可能なパーソナルコンピュータ７を含んで構成される。
【０００８】
また、ＣＤ-ＤＢサーバ５は、市販されているＣＤ-ＤＡに記録されている各楽曲のアルバム名やタイトルやアーティストなどの楽曲属性情報を登録したＣＤ-ＤＢ５１を備えている。
また、ユーザ管理サーバ６は、車載システム１００の登録ユーザの登録情報を蓄積したユーザＤＢ６１を備えており、ユーザＤＢ６１には、各登録ユーザ毎に、当該ユーザの登録情報として、当該ユーザの車載システム１００の製品シリアル番号、当該ユーザの氏名、郵便番号、住所、電話番号、メールアドレスなどが登録されている。
【０００９】
次に、車載システム１００は、有線もしくは近距離無線インタフェースを介して、携帯電話などと呼称される移動電話機２に接続する移動電話機インタフェース１０１、移動電話機インタフェース１０１に接続された移動電話機２を介した通信を制御する通信制御部１０２、ＣＤ-ＤＡなどのリムーバブルディスクに記録されたオーディオデータを読み出すディスク再生装置１０３、オーディオ処理部１０４、ナビゲーション装置１０５、ＧＰＳ受信機１０６、車両センサ１０７、制御部１０８、ＨＤＤ１０９と、出力制御部１１０、スピーカ１１１、表示装置１１２、入力装置１１３とを備えている。ここで、車両センサ１０７は、角加速度センサや地磁気センサなどである方位センサや、車速センサなどの車両の各種状態を検出するセンサである。
【００１０】
また、ＨＤＤ１０９には、地図を表す地図データや、楽曲のオーディオファイルが記憶されている。
ここで、ナビゲーション装置１０５は、車両センサ１０７やＧＰＳ受信機１０６の出力から推定される現在位置に対して、ＨＤＤ１０９から読み出した地図データが示す前回決定した現在位置の周辺の地図とのマップマッチング処理などを施して、現在位置等や、現在の進行方向の算定などを行う。また、ナビゲーション装置１０５は、入力装置１１３を介してユーザによって設定された目的地までの経路を、ＨＤＤ１０９から読み出した地図データに基づいて探索して誘導経路として設定する。そして、ナビゲーション装置１０５は、基本地図データが表す地図上に、現在位置や、誘導経路や、目的地を表したナビゲーション画像を表す映像を出力制御部１１０に出力する。
【００１１】
また、ディスク再生装置１０３は、リムーバブルディスクに記録されているオーディオデータを出力制御部１１０に出力する。
また、オーディオ処理部１０４は、リムーバブルディスクに記録されている楽曲のオーディオデータをオーディオファイルとしてＨＤＤ１０９に記録するリッピング処理や、ＨＤＤ１０９に記録されているオーディオファイルのオーディオデータを出力制御部１１０に出力する処理を行う。
【００１２】
ここで、このリッピング処理において、オーディオ処理部１０４は、通信制御部１０２、移動電話機インタフェース１０１、移動電話機２を介して、移動電話網３のインターネット接続サービスを利用してインターネット４に接続して、ＣＤ-ＤＢサーバ５にアクセスし、ＨＤＤ１０９に記録するオーディオファイルの楽曲属性情報を取得し、取得した楽曲属性情報をタグ情報としてオーディオファイルに含めてＨＤＤ１０９に記録する処理を行う。
【００１３】
そして、制御部１０８は、ナビゲーションモードが設定されているときには、出力制御部１１０にナビゲーション装置１０５の出力するナビゲーション画像を表示装置１１２に出力させる。
【００１４】
また、制御部１０８は、入力装置１１３を介したユーザ操作に応じて、出力制御部１１０にディスク再生装置１０３やオーディオ処理部１０４の出力するオーディオデータが表す音声をスピーカ１１１に出力させ、出力制御部１１０を介してメニューを表示装置１１２に表示する。
また、制御部１０８は、随時、ユーザからの要求等に応じて、ナビゲション装置１０５、ディスク再生装置１０３、オーディオ処理部１０４の各種操作受け付け用の画面を出力制御を介して表示装置１１２に表示し、入力装置１１３を介した操作に従って各装置の動作を制御する。
【００１５】
以下、このようなユーザ登録システムの構成において行われるユーザ登録の動作について説明する。
まず、ユーザは、自宅等に所持するパーソナルコンピュータ７に車載システム１００の製品シリアル番号、ユーザの氏名、郵便番号、住所、電話番号、メールアドレスなどの登録情報を入力すると共に、パーソナルコンピュータ７からインターネット４を介してユーザ管理サーバ６にアクセスし、入力した登録情報を伴うユーザ登録要求を、ユーザ管理サーバ６に送信することにより、自身の自動車の車載システム１００のユーザ登録を行うことができる。
【００１６】
この場合、ユーザ管理サーバ６は、パーソナルコンピュータ７からユーザ登録要求を受け付けると、当該ユーザ登録要求に伴う登録情報をユーザ管理ＤＢに登録することにより、当該ユーザのユーザ登録を行う。
また、車載システム１００の制御部１０８は、ユーザのユーザ登録を支援するために、図２に示すユーザ登録支援処理を実行する。
ここで、この処理は、車載システム１００の起動時に開始される処理である。
図示するように、この処理において制御部１０８は、まず、ＨＤＤ１０９に記録されている登録済フラグが登録済を示す値に設定されているかどうかを調べる（ステップ２０２）。ここで、車載システム出荷時の登録済フラグの初期値は未登録を示す値とする。
そして、登録済フラグが登録済を示す値に設定されていれば（ステップ２０２）、そのまま処理を終了する。
一方、登録済フラグが登録済を示す値に設定されていなければ（ステップ２０２）、インターネット接続切断禁止を設定し（ステップ２０４）、車載システム１００において、インターネット４を利用して行うジョブが発生し、インターネットアクセスが発生するのを待つ（ステップ２０６）。そして、インターネットアクセスが発生したならば、次に、インターネット４を利用して行うジョブが終了するのを待つ（ステップ２０８）。ここで、インターネット４を利用して行うジョブとしては、たとえば、前述したオーディオ処理部１０４のリッピング処理におけるＣＤ-ＤＢサーバ５からのＨＤＤ１０９に記録するオーディオファイルの楽曲属性情報の取得などのジョブや、楽曲販売サイトからのオーディオファイルのダウンロードや、その他のインターネット４を利用したデータ通信を行う任意のジョブが該当する。
【００１７】
そして、インターネット接続切断禁止が設定されている場合、インターネット４を利用して行うジョブは、ジョブの終了時にインターネット接続を切断しない。一方、インターネット接続切断禁止が設定されていない場合には、インターネット４を利用して行うジョブはジョブの終了時にインターネット接続を切断する。
【００１８】
そして、インターネット４を利用して行うジョブが終了したならば（ステップ２０８）、通信制御部１０２、移動電話機インタフェース１０１、移動電話機２を、移動電話網３、インターネット４を介して、ユーザ管理サーバ６にアクセスし、車載システム出荷時にＨＤＤ１０９に記録されている当該車載システム１００の製品シリアル番号を伴う、既登録確認要求を発行することにより、ユーザ登録が既に行われているかどうかを確認する（ステップ２１０）。
【００１９】
ここで、ユーザ管理サーバ６は、既登録確認要求を車載システム１００から受け取ると、既登録確認要求に伴う製品シリアル番号を含む登録情報がユーザ管理ＤＢに登録されているかどうかを調べ、登録されている場合にはユーザ登録が既に行われている旨を車載システム１００に応答し、登録されていない場合にはユーザ登録がまだ行われていない旨を車載システム１００に応答する。
【００２０】
次に、制御部１０８は、ユーザ管理サーバ６の応答からユーザ登録が既に行われていることが確認できた場合には（ステップ２１２）、パーソナルコンピュータ７を用いたユーザ登録が既に済んでいるので、ＨＤＤ１０９の登録済フラグを登録済を示す値に設定し（ステップ２３０）、インターネット接続切断禁止を解除し（ステップ２３２）、通信制御部１０２を制御してインターネット接続を切断し（ステップ２３４）、処理を終了する。
【００２１】
一方、ユーザ登録がまだ行われていない場合には（ステップ２１２）、出力制御部１１０を介して表示装置１１２に図３ａに示すような問い合わせ画面を表示することによって、今ユーザ登録を行うかどうかをユーザに問い合わせる（ステップ２１４）。ここで、この問い合わせ画面では、図示するようにユーザ登録のメリットの説明を併せて表示し、ユーザのユーザ登録を誘引するようにするのが好ましい。
【００２２】
そして、問い合わせ画面の「キャンセル」ボタン３０１の操作によって、今ユーザ登録を行わない旨が指示された場合には（ステップ２１６）、インターネット接続切断禁止を解除し（ステップ２３２）、通信制御部１０２を制御してインターネット接続を切断し（ステップ２３４）、処理を終了する。
【００２３】
一方、問い合わせ画面の「はい」ボタン３０２の操作によって、今ユーザ登録を行う旨が指示された場合には（ステップ２１８）、図３ｂに示すようなユーザ情報入力画面を出力制御部１１０を介して表示装置１１２に表示し、ユーザの氏名、郵便番号、住所、電話番号、メールアドレスなどの入力を受け付ける（ステップ２２０）。なお、図３ｂに示したユーザ情報入力画面では、ＨＤＤ１０９に記録されている車載システム１００の製品シリアル番号も表示するようにしている。なお、ナビゲーション装置１０５に自宅地点が登録されている場合には、当該自宅地点の郵便番号や住所を、ユーザ情報入力画面の表示時に、ユーザの郵便番号や住所として自動入力するようにしてもよい。
【００２４】
そして、ユーザ情報入力画面の「キャンセル」ボタン３５１の操作によってキャンセルが指示された場合には（ステップ２２２）、インターネット接続切断禁止を解除し（ステップ２３２）、通信制御部１０２を制御してインターネット接続を切断し（ステップ２３４）、処理を終了する。
【００２５】
一方、ユーザ情報入力画面の「登録」ボタン３５２の操作によってユーザ登録が指示された場合には（ステップ２２４）、ＨＤＤ１０９に記録されている車載システム１００の製品シリアル番号と、ユーザ情報入力画面で入力を受け付けたユーザの氏名、郵便番号、住所、電話番号、メールアドレスとを登録情報として含めたユーザ登録要求を、ユーザ管理サーバ６に送信する（ステップ２２６）。
【００２６】
ここで、ユーザ管理サーバ６は、車載システム１００からユーザ登録要求を受け付けると、当該ユーザ登録要求に伴う登録情報をユーザ管理ＤＢに登録することにより、当該ユーザをユーザ登録し、ユーザ登録成功を車載システム１００に応答する。
そして、制御部１０８は、ユーザ登録成功をユーザ管理サーバ６から応答されたならば（ステップ２２８）、ＨＤＤ１０９の登録済フラグを、登録済を示す値に設定し（ステップ２３０）、インターネット接続切断禁止を解除し（ステップ２３２）、通信制御部１０２を制御してインターネット接続を切断し（ステップ２３４）、処理を終了する。
【００２７】
以上、制御部１０８が行うユーザ登録支援処理について説明した。
以上のように本実施形態によれば、車載システム１００において任意のジョブによるインターネット接続が発生したときに、当該機会を捉えて、ユーザ管理サーバ６と通信を行ってユーザ登録を行うので、インターネット接続に用いる移動電話網３が、インターネット接続サービスの提供に際してインターネット接続の度に基本料金を従量制の料金の他に利用者に課すものである場合に、ユーザ登録のためだけの基本料金の発生を抑止することができ、結果、ユーザのユーザ登録のための通信コストを低減することができるようになる。
【図面の簡単な説明】
【００２８】
【図１】本発明の実施形態に係る車載システムの構成を示すブロック図である。
【図２】本発明の実施形態に係るユーザ登録支援処理を示すフローチャートである。
【図３】本発明の実施形態に係る車載システムの表示画面例を示す図である。
【符号の説明】
【００２９】
２…移動電話機、３…移動電話網、４…インターネット、５…ＤＢサーバ、６…ユーザ管理サーバ、７…パーソナルコンピュータ、５１…ＤＢ、６１…ユーザＤＢ、１００…車載システム、１０１…移動電話機インタフェース、１０２…通信制御部、１０３…ディスク再生装置、１０４…オーディオ処理部、１０５…ナビゲーション装置、１０６…ＧＰＳ受信機、１０７…車両センサ、１０８…制御部、１０９…ＨＤＤ、１１０…出力制御部、１１１…スピーカ、１１２…表示装置、１１３…入力装置。
【図１】
2009253879.tif 000003
【図２】
2009253879.tif 000004
【図３】
2009253879.tif 000005